(57)【特許請求の範囲】
【請求項１】
所定の第１方向に従って、シートに対する相対位置を変更することにより、前記シートから画像を読み取る読取部を有し、
前記読取部は、
前記第１方向に沿って伸びる短辺と、前記第１方向に直交する第２方向に沿って伸びる長辺とを有するハウジングと、前記ハウジングにおける前記シート側に位置する第１面に沿って収容され、前記シートから画像を読み取る読取面を有するイメージセンサと、前記ハウジングにおける前記第１面の逆側に位置する第２面に沿って収容され、前記イメージセンサに関する制御に用いられるセンサ基板と、を有するセンサユニットと、
前記シート側に位置する一面に配設されたカバーガラスを有し、前記カバーガラスに対向する側が開放された凹状に形成され、前記センサユニットを内部に収容するホルダと、
前記ホルダから離間する方向への相対移動を規制する移動規制部を有し、前記ホルダの開口を覆うように配設されるホルダカバーと、
前記ホルダ内部に収容された前記センサユニットの前記ハウジングに対して、前記第２面側から接触する板状の支持部材と、
前記ホルダカバーと前記支持部材の間に配設され、前記センサユニットを前記カバーガラス側に付勢する付勢部材と、を有し、
前記センサユニットは、
前記支持部材と、前記付勢部材と、前記ホルダカバーとを介して、前記ホルダ内部における所定位置に位置決めされ、
前記支持部材は、前記ホルダの内壁面に対して当該支持部材の端縁を接触させた状態で、前記ホルダ内部の前記ハウジングに前記第２面側から接触するように配置されている
ことを特徴とする画像読取装置。
【請求項２】
前記ハウジング及び前記ホルダは、相互に接触することによって、前記ハウジングの前記第１面側と、前記ホルダの前記カバーガラス側の相対的な位置関係を位置決めする位置決め部を有する
ことを特徴とする請求項１記載の画像読取装置。
【請求項３】
前記支持部材は、前記センサユニットの前記第２方向における両端部に配置されていることを特徴とする請求項１又は請求項２記載の画像読取装置。
【請求項４】
前記付勢部材は、板状の前記支持部材における前記第１方向の中央部分に配置されている
ことを特徴とする請求項１乃至請求項３の何れかに記載の画像読取装置。
【請求項５】
前記移動規制部は、少なくとも前記付勢部材の配設位置において、前記ホルダから離間する方向への前記ホルダカバーの移動を規制している
ことを特徴とする請求項１乃至請求項４の何れかに記載の画像読取装置。
【請求項６】
前記センサユニットは、前記第２方向における端部側の所定範囲内で、且つ、前記付勢部材の配設位置よりも内側となる位置に、フラットケーブルが接続されるコネクタ部を有する
ことを特徴とする請求項１乃至請求項５の何れかに記載の画像読取装置。
【請求項７】
前記支持部材は、絶縁材料によって、板状に形成されており、 
前記付勢部材は、金属線材によって構成されるコイルスプリングである
ことを特徴とする請求項１乃至請求項６の何れかに記載の画像読取装置。
【請求項８】
前記イメージセンサは、前記読取面上で前記第２方向に沿って伸び、前記画像を読み取る際に発光する導光部を有し、
前記センサ基板は、前記導光部を発光させる為の端子部を、前記第２方向における端部であって、当該センサ基板の第２面側に有し、
前記支持部材は、前記ハウジングの前記第２面側において、前記センサ基板における前記端子部を覆うように配設されている
ことを特徴とする請求項７記載の画像読取装置。
【発明の詳細な説明】
【技術分野】
【０００１】
本発明は、シートから画像を読み取る読取部を有する画像読取装置に関する。
【背景技術】
【０００２】
従来、画像読取装置は、ＣＩＳ（Contact Image Sensor）等を用いたイメージセンサを備えるセンサユニットを、読取部として有しており、当該読取部によってシートの画像を読み取るように構成されている。このような画像読取装置においては、シートに対するセンサユニットの距離が、イメージセンサの焦点距離等の関係から読取部による画像の読取精度に影響する為、所定位置に位置決めすることが重要となる。
【０００３】
このような画像読取装置に関する発明として、特許文献１記載の発明が知られている。特許文献１記載の画像読取装置においては、画像読取部は、センサ本体の背面側にコイルばねを有しており、当該センサ本体をカバーガラス側に付勢するように構成されている。そして、特許文献１記載の画像読取装置は、コイルばねによってセンサ本体をカバーガラス側に付勢することで、カバーガラスを介して、シートとセンサ本体との距離を一定に保ちつつ、センサ本体をハウジング内の適正位置で位置決めしている。
【先行技術文献】
【特許文献】
【０００４】
【特許文献１】特開２００８−１５４１１０号公報
【発明の概要】
【発明が解決しようとする課題】
【０００５】
しかしながら、当該特許文献１のように、コイルばね等の付勢部材によって、センサ本体を背面側からカバーガラスに向かって付勢する場合、当該付勢部材の付勢力が、センサ本体の背面側に作用する位置（即ち、付勢部材の端部がセンサ本体の背面に接触する位置）が重要となる。
【０００６】
特許文献１のセンサ本体のような構成では、センサ本体の背面側に、イメージセンサ用のセンサ基板が配設されている場合がある。このような場合、付勢部材の付勢力が、センサ本体背面側に配設されたセンサ基板に対して作用することになる為、センサ基板の撓み変形を発生させてしまい、読取部による画像の読取精度を低下させてしまう場合があった。又、センサ基板は、センサ本体の背面側に配設されており、カバーガラス側の基準面から離間している為、付勢部材の付勢力によって、より容易に撓み変形してしまう。この為、特許文献１のような画像読取装置は、付勢部材の付勢力の影響によって、読取部による画像の読取精度を低下させてしまう場合があった。
【０００７】
本開示は、上記の問題点に鑑みてなされたものであり、シートから画像を読み取る読取部を有する画像読取装置に関し、読取部におけるセンサユニットの位置決めを精度よく行いつつ、付勢部材の影響を低減し得る画像読取装置を提供することを目的とする。
【課題を解決するための手段】
【０００８】
前記目的を達成するため、本発明の一側面に係る画像読取装置は、所定の第１方向に従って、シートに対する相対位置を変更することにより、前記シートから画像を読み取る読取部読取部を有し、前記読取部は、前記第１方向に沿って伸びる短辺と、前記第１方向に直交する第２方向に沿って伸びる長辺とを有するハウジングと、前記ハウジングにおける前記シート側に位置する第１面に沿って収容され、前記シートから画像を読み取る読取面を有するイメージセンサと、前記ハウジングにおける前記第１面の逆側に位置する第２面に沿って収容され、前記イメージセンサに関する制御に用いられるセンサ基板と、を有するセンサユニットと、前記シート側に位置する一面に配設されたカバーガラスを有し、前記カバーガラスに対向する側が開放された凹状に形成され、前記センサユニットを内部に収容するホルダと、前記ホルダから離間する方向への相対移動を規制する移動規制部を有し、前記ホルダの開口を覆うように配設されるホルダカバーと、前記ホルダ内部に収容された前記センサユニットの前記ハウジングに対して、前記第２面側から接触する板状の支持部材と、前記ホルダカバーと前記支持部材の間に配設され、前記センサユニットを前記カバーガラス側に付勢する付勢部材と、を有し、前記センサユニットは、前記支持部材と、前記付勢部材と、前記ホルダカバーとを介して、前記ホルダ内部における所定位置に位置決めされ、前記支持部材は、前記ホルダの内壁面に対して当該支持部材の端縁を接触させた状態で、前記ホルダ内部の前記ハウジングに前記第２面側から接触するように配置されていることを特徴とする。
【０００９】
当該画像読取装置は、所定の第１方向に従って、読取部とシートの相対位置を変更することにより、前記シートから画像を読み取り得る。当該画像読取装置においては、読取部は、センサユニットと、ホルダと、ホルダカバーと、支持部材と、付勢部材とを有して構成されている。当該センサユニットは、ハウジングと、イメージセンサと、センサ基板とを有しており、支持部材と、付勢部材と、ホルダカバーとを介して、前記ホルダ内部における所定位置に位置決めされている。当該画像読取装置において、付勢部材は、移動規制部によってホルダから離間する方向への移動が規制されたホルダカバーと、ホルダ内部に収容された前記センサユニットの前記ハウジングに対して、前記第２面側から接触する板状の支持部材の間に配設されている為、付勢部材は、前記センサユニットを前記カバーガラス側に付勢する。これにより、当該画像読取装置によれば、カバーガラスに対するセンサユニットの位置を、所定位置に精度よく位置決めすることができる。この時、付勢部材の端部は、支持部材に接触しており、付勢部材の付勢力は、支持部材を介して、センサユニットのハウジングに作用する為、センサ基板が撓み変形することを抑制し得る。これにより、当該画像読取装置によれば、付勢部材の付勢力によるセンサ基板の変形を抑制することによって、読取部による読取精度の低下を防止し得る。即ち、当該画像読取装置によれば、読取部におけるセンサユニットの位置決めを精度よく行いつつ、付勢部材の付勢力の影響による読取精度の低下を抑制し得る。
また、前記支持部材は、前記ホルダの内壁面に対して当該支持部材の端縁を接触させた状態で、前記ホルダ内部の前記ハウジングに前記第２面側から接触するように配置されている為、支持部材の移動を規制して適正な位置に保持することができる。即ち、当該画像読取装置によれば、付勢部材の端部を、支持部材に対して確実に接触させることができ、付勢部材の付勢力を、支持部材を介して、センサユニットに対して作用させ得る。
【００１０】
本発明の他の側面に係る画像読取装置は、請求項１記載の画像読取装置であって、前記ハウジング及び前記ホルダは、相互に接触することによって、前記ハウジングの前記第１面側と、前記ホルダの前記カバーガラス側の相対的な位置関係を位置決めする位置決め部を有することを特徴とする。
【００１１】
当該画像読取装置によれば、位置決め部によって、前記ハウジングの前記第１面側と、前記ホルダの前記カバーガラス側の相対的な位置関係を位置決めすることができるので、センサユニットの読取面とカバーガラスとの位置関係を、適正な位置（例えば、イメージセンサの焦点距離に対応する位置）にすることができる。これにより、当該画像読取装置は、センサユニットの読取面によって、カバーガラスを介して位置するシートの画像を、精度よく読み取ることができる。
【００１２】
本発明の他の側面に係る画像読取装置は、請求項１又は請求項２記載の画像読取装置であって、前記支持部材は、前記センサユニットの前記第２方向における両端部に配置されていることを特徴とする。
【００１３】
当該画像読取装置によれば、前記支持部材は、前記センサユニットの前記第２方向における両端部に配置されている為、付勢部材の付勢力を、センサユニットの長辺側両端部で受けることができる。これにより、当該画像読取装置によれば、付勢部材の付勢力を、センサユニットの長辺方向（即ち、第２方向）に関して、バランス良く作用させることができる。
【００１４】
【００１５】
【００１６】
本発明の他の側面に係る画像読取装置は、請求項１乃至請求項３の何れかに記載の画像読取装置であって、前記付勢部材は、板状の前記支持部材における前記第１方向の中央部分に配置されていることを特徴とする。
【００１７】
当該画像読取装置によれば、前記付勢部材は、板状の前記支持部材における前記第１方向の中央部分に配置されているので、付勢部材の付勢力を、支持部材の短辺方向（即ち、第１方向）に関して、バランス良く作用させることができる。
【００１８】
本発明の他の側面に係る画像読取装置は、請求項１乃至請求項４の何れかに記載の画像読取装置であって、前記移動規制部は、少なくとも前記付勢部材の配設位置において、前記ホルダから離間する方向への前記ホルダカバーの移動を規制していることを特徴とする。
【００１９】
当該画像読取装置によれば、ホルダカバーの移動規制部は、少なくとも前記付勢部材の配設位置において、前記ホルダから離間する方向への前記ホルダカバーの移動を規制している為、付勢部材の付勢力によるホルダカバーの変形を、適切に抑制することができる。
【００２０】
本発明の他の側面に係る画像読取装置は、請求項１乃至請求項５の何れかに記載の画像読取装置であって、前記センサユニットは、前記第２方向における端部側の所定範囲内で、且つ、前記付勢部材の配設位置よりも内側となる位置に、フラットケーブルが接続されるコネクタ部を有することを特徴とする。
【００２１】
当該画像読取装置によれば、前記センサユニットは、フラットケーブルが接続されるコネクタ部を、前記第２方向における端部側の所定範囲内で、且つ、前記付勢部材の配設位置よりも内側となる位置に有している為、センサユニットに対して、付勢部材の付勢力を適切に作用させると同時に、コネクタ部に接続されたフラットケーブルの取り回しを簡易化することができる。
【００２２】
本発明の他の側面に係る画像読取装置は、請求項１乃至請求項６の何れかに記載の画像読取装置であって、前記支持部材は、絶縁材料によって、板状に形成されており、前記付勢部材は、金属線材によって構成されるコイルスプリングであることを特徴とする。
【００２３】
当該画像読取装置によれば、前記支持部材は、絶縁材料によって、板状に形成されており、前記付勢部材は、金属線材によって構成されるコイルスプリングである為、センサユニットに対して、付勢部材の付勢力を、支持部材を介して安定して作用させることができる。又、当該画像読取装置によれば、支持部材及び付勢部材を安価且つ容易に入手することができるので、当該画像読取装置の製造コストを抑制することができる。
【００２４】
本発明の他の側面に係る画像読取装置は、請求項７記載の画像読取装置であって、前記イメージセンサは、前記読取面上で前記第２方向に沿って伸び、前記画像を読み取る際に発光する導光部を有し、前記センサ基板は、前記導光部を発光させる為の端子部を、前記第２方向における端部であって、当該センサ基板の第２面側に有し、前記支持部材は、前記ハウジングの前記第２面側において、前記センサ基板における前記端子部を覆うように配設されていることを特徴とする。
【００２５】
当該画像読取装置によれば、前記支持部材は、前記ハウジングの前記第２面側において、前記センサ基板における前記端子部を覆うように配設されている為、金属線材により構成されたコイルスプリングが端子部に接触することを防止することができ、もって、センサユニットの故障や不具合の発生を抑制することができる。
【図面の簡単な説明】
【００２６】
【図１】本実施形態に係る画像読取装置の概略構成を示す側面図である。
【図２】第２筐体を開放した状態の画像読取装置の構成を示す側面図である。
【図３】画像読取装置における読取部の構成を示す拡大図である。
【図４】読取部を構成する読取ユニットの正面図である。
【図５】読取部を構成する読取ユニットの側面図である。
【図６】読取部を構成する読取ユニットの背面図である。
【図７】ホルダカバーを取り除いた状態の読取ユニットを示す斜視図である。
【図８】ホルダカバーを取り除いた状態の読取ユニットを示す背面図である。
【図９】図６におけるＩ−Ｉ断面を示す断面図である。
【図１０】読取ユニットを構成するセンサユニットの正面図である。
【図１１】読取ユニットを構成するセンサユニットの背面図である。
【図１２】読取ユニットを構成するセンサホルダの正面図である。
【図１３】読取ユニットを構成するセンサホルダの背面図である。
【発明を実施するための形態】
【００２７】
以下、本発明に係る画像読取装置を、画像読取装置１に具体化した実施形態について、図面を参照しつつ詳細に説明する。そして、当該画像読取装置１におけるシート排出口２２側を装置の前側と規定し、シート排出口２２に対向した場合に左手に来る側を左側と規定して、前後、左右及び上下の各方向を表示する。そして、図２以降に示す各方向は、全て図１に示す各方向に対応させて表示する。
【００２８】
（画像読取装置の概略構成）
本実施形態に係る画像読取装置１は、本体筐体５を構成する第１筐体１０と第２筐体１５の間に形成される搬送ガイド部２０に沿ってシートを搬送して、読取部４０によって当該シートから画像を読取可能に構成されており、図１等に示すように、搬送部２５と、読取部４０と、回路基板６０とを有している。
【００２９】
（本体筐体の構成）
本実施形態に係る本体筐体５は、画像読取装置１における各構成を収容しており、第１筐体１０と、第２筐体１５を相互に連結して構成されている。第１筐体１０は、画像読取装置１における本体筐体５の下側部分を構成しており、後述する第１読取部５０や、回路基板６０等の各種構成装置を収容している。
【００３０】
第１筐体１０の上面には、下側案内面１０Ｇが形成されており、後述するように、搬送ガイド部２０の下側部分を構成する。図１、図２に示すように、下側案内面１０Ｇは、第１筐体１０の上面後方側から前方に向かうにつれて下り傾斜している。そして、第１筐体１０は、下側案内面１０Ｇの前方側近傍に左右方向（図１紙面に垂直な方向）に延びる回動軸（図示せず）を中心として、当該第１筐体１０の上方に位置する第２筐体１５を開閉可能に支持している。
【００３１】
そして、第２筐体１５は、画像読取装置１における本体筐体５の上側部分を構成しており、後述する第２読取部５５等の各種構成装置を収容している。当該第２筐体１５の下面には、上側案内面１５Ｇが形成されており、第１筐体１０の下側案内面１０Ｇに沿うように、第２筐体１５の下面後方側から前方に向かうにつれて下り傾斜している。
【００３２】
図１に示すように、第１筐体１０の下側案内面１０Ｇと、第２筐体１５の上側案内面１５Ｇとは、シートが通過可能な所定の間隔を有して互いに対向している。下側案内面１０Ｇと、上側案内面１５Ｇは、第１筐体１０に対して第２筐体１５を閉じ、相互に対向するように配置することで、シートが搬送される搬送ガイド部２０及びシート搬送経路Ｒを構成する。図２に示すように、第２筐体１５を第１筐体１０に対して上方に離間させることで、搬送ガイド部２０を開放することができる。
【００３３】
（搬送ガイド部の構成）
上述したように、搬送ガイド部２０は、第１筐体１０に対して第２筐体１５を閉じた場合に、下側案内面１０Ｇと上側案内面１５Ｇとの間に形成され、シート搬送経路Ｒとして機能する。搬送ガイド部２０は、シート導入口２１と、シート排出口２２とを接続しており、画像の読取対象であるシートが搬送される部分である。
【００３４】
本実施形態におけるシートは、例えば、用紙やＯＨＰシート等を用いることができる。そして、本実施形態においては、幅の広いものでは、レターサイズやＡ４サイズの用紙等を用いることができ、幅の狭いものでは、葉書等を用いることができる。
【００３５】
図１に示すように、シート導入口２１は、第１筐体１０における下側案内面１０Ｇの後端縁と、第２筐体１５における上側案内面１５Ｇの後端縁との隙間によって構成されており、左右方向へシートの幅よりも長い寸法を有している。従って、本実施形態に係る画像読取装置１は、シート導入口２１を介して、搬送ガイド部２０内部にシートを挿入することができる。
【００３６】
そして、シート排出口２２は、第１筐体１０における下側案内面１０Ｇの前端縁と、第２筐体１５における上側案内面１５Ｇの前端縁との隙間によって構成されており、左右方向へシートの幅よりも長い寸法を有している。従って、本実施形態に係る画像読取装置１は、搬送ガイド部２０内部を搬送されたシートを、シート排出口２２から排出することができる。
【００３７】
シート搬送経路Ｒは、第１筐体１０の下側案内面１０Ｇと、第２筐体１５の上側案内面１５Ｇとに上下方向から挟まれてなる通路であり、シート導入口２１から前方に向かうにつれて下り傾斜しており、シート排出口２２に接続されている。シート搬送経路Ｒは、後側のシート導入口２１から挿入されたシートを、前側のシート排出口２２へ案内する。
【００３８】
シート搬送経路Ｒが延びる方向である搬送方向は、後側上方から前側下方に向かう下り傾斜した方向である。換言すると、搬送方向は、第１筐体１０の下側案内面１０Ｇと、第２筐体１５の上側案内面１５Ｇとに上下方向から挟まれてなる通路が延びる方向である。搬送方向の上流側はシート導入口２１側であり、搬送方向の下流側はシート排出口２２側である。そして、搬送方向と直交する幅方向は、画像読取装置１の左右方向に相当し、図１、図２における紙面に垂直な方向である。シート搬送経路Ｒに対して高さ方向の一方側は、搬送ガイド部２０における下側案内面１０Ｇ側である。シート搬送経路Ｒに対して高さ方向の他方側は、搬送ガイド部２０における上側案内面１５Ｇ側である。
【００３９】
（搬送部の構成）
そして、搬送部２５は、上流側搬送部３０と、下流側搬送部３５とを有しており、シート導入口２１から搬送ガイド部２０内部に挿入されたシートを、シート排出口２２に向かって搬送する。
【００４０】
上流側搬送部３０は、搬送ガイド部２０における搬送方向上流側（即ち、シート導入口２１よりも搬送方向下流側で、読取部４０よりも搬送方向上流側）において、搬送ガイド部２０に沿って配設されており、上流側駆動ローラ３１と、上流側従動ローラ３２とを有している。
【００４１】
上流側駆動ローラ３１は、搬送ガイド部２０における下側案内面１０Ｇ側に回転可能に配設されており、第１読取部５０よりもシート導入口２１側に位置している。当該上流側駆動ローラ３１は、駆動源（図示せず）によって回転駆動する上流側駆動軸に形成されており、上流側従動ローラ３２と協働することで、搬送ガイド部２０内部に位置するシートを搬送方向下流側へ搬送する。
【００４２】
そして、上流側従動ローラ３２は、搬送ガイド部２０における上側案内面１５Ｇ側に回転可能に配設されており、第２読取部５５よりもシート導入口２１側に位置している。当該上流側従動ローラ３２は、搬送ガイド部２０を介して、上流側駆動ローラ３１と対向する位置に配設されており、バネ部材（図示せず）の付勢力によって、上流側駆動ローラ３１に押し付けられている。
【００４３】
即ち、当該上流側搬送部３０においては、上流側駆動ローラ３１及び上流側従動ローラ３２は、バネ部材（図示せず）の付勢力によって互いに接触している為、搬送ガイド部２０に案内されるシートを、上流側駆動ローラ３１と上流側従動ローラ３２で挟持して、当該シートに対して搬送力を伝達することができる。
【００４４】
そして、下流側搬送部３５は、搬送ガイド部２０における搬送方向下流側（即ち、読取部４０よりも搬送方向下流側で、シート排出口２２よりも搬送方向上流側）において、搬送ガイド部２０に沿って配設されており、下流側駆動ローラ３６と、下流側従動ローラ３７とを有している。
【００４５】
下流側駆動ローラ３６は、搬送ガイド部２０における下側案内面１０Ｇ側に回転可能に配設されており、第１読取部５０よりシート排出口２２側に位置している。当該下流側駆動ローラ３６は、駆動源（図示せず）によって回転駆動する下流側駆動軸に形成されており、下流側従動ローラ３７と協働することによって、搬送ガイド部２０内部に位置するシートを、搬送方向下流側に搬送し、シート排出口２２から排出する。
【００４６】
そして、下流側従動ローラ３７は、搬送ガイド部２０における上側案内面１５Ｇ側に回転可能に配設されており、第２読取部５５よりもシート排出口２２側に位置している。当該下流側従動ローラ３７は、搬送ガイド部２０を介して、下流側駆動ローラ３６と対向する位置に配設されており、バネ部材（図示せず）の付勢力によって、下流側駆動ローラ３６に押し付けられている。
【００４７】
そして、当該下流側搬送部３５では、下流側駆動ローラ３６及び下流側従動ローラ３７は、バネ部材（図示せず）の付勢力によって互いに接触している為、搬送ガイド部２０に案内されるシートを、下流側駆動ローラ３６と下流側従動ローラ３７で挟持して、当該シートに対して搬送力を伝達して、シート排出口２２から排出することができる。
【００４８】
（読取部の構成）
読取部４０は、上流側搬送部３０と下流側搬送部３５の間に配設されており、搬送ガイド部２０内部を搬送されるシートから画像を読み取る。図１〜図３に示すように、当該読取部４０は、第１読取部５０と、第２読取部５５を有している。
【００４９】
図３に示すように、第１読取部５０は、上流側搬送部３０と下流側搬送部３５との間において、第１筐体１０の下側案内面１０Ｇに沿って配設されており、搬送ガイド部２０内部のシート搬送経路Ｒに沿って搬送されるシートの一面（下面）から画像を読み取る。当該第１読取部５０は、イメージセンサを含む読取ユニット１００等を第１センサ収納部５１内部に収納しており、第１センサ収納部５１における搬送ガイド部２０側に、コンタクトガラス１２０を有して構成されている。
【００５０】
第１センサ収納部５１は、搬送ガイド部２０のシート搬送経路Ｒを構成する下側案内面１０Ｇに沿った位置に開口部を有する凹状に形成されており、画像読取装置１の左右方向に沿って、長辺を有する略箱型をなす。
【００５１】
読取ユニット１００は、Ｃｏｎｔａｃｔ Ｉｍａｇｅ Ｓｅｎｓｏｒ（以後、「ＣＩＳ」と略す）により構成されるイメージセンサ１１２を有しており、搬送ガイド部２０のシート搬送経路Ｒ側に読取面１１２Ｓを備えて構成されている。当該読取ユニット１００の長辺方向は、画像読取装置１の左右方向に沿っている。読取ユニット１００における読取面１１２Ｓには、長辺方向に沿って列設された撮像素子等が配設されている。読取ユニット１００の長辺方向は、読取ユニット１００の主走査方向に該当する。
【００５２】
第１読取部５０における読取ユニット１００は、読取面１１２Ｓが上方（即ち、搬送ガイド部２０のシート搬送経路Ｒ）側となる態様で、第１センサ収納部５１内部に収納される。即ち、読取ユニット１００の読取ユニット１００面は、シート搬送経路Ｒに面している。そして、読取ユニット１００に対しては、フラットケーブル７０の一端が接続されており、フラットケーブル７０の他端は、回路基板６０に接続されている。
【００５３】
そして、第１読取部５０において、コンタクトガラス１２０は、第１センサ収納部５１における搬送ガイド部２０側に配設されており、所謂「プラテンガラス」として機能する。当該コンタクトガラス１２０は、下側案内面１０Ｇの一部を構成している為、第１読取部５０の読取ユニット１００は、搬送ガイド部２０のシート搬送経路Ｒに沿って搬送されるシートの一面の画像を、コンタクトガラス１２０を介して読み取ることができる。
【００５４】
そして、第２読取部５５は、上流側搬送部３０と下流側搬送部３５との間において、第２読取部５５の上側案内面１５Ｇに沿って配設されており（図３参照）、搬送ガイド部２０内部のシート搬送経路Ｒに沿って搬送されるシートの一面（上面）から画像を読み取る。当該第２読取部５５は、搬送ガイド部２０を介して、第１読取部５０と対向する位置に配設されている。図３に示すように、第２読取部５５は、イメージセンサを含む読取ユニット１００等を第２センサ収納部５６内部に収納しており、第２センサ収納部５６における搬送ガイド部２０側に、コンタクトガラス１２０を有して構成されている。
【００５５】
第２センサ収納部５６は、搬送ガイド部２０のシート搬送経路Ｒを構成する上側案内面１５Ｇに沿った位置に開口部を有する凹状に形成されており、画像読取装置１の左右方向に沿って、長辺を有する略箱型をなす。
【００５６】
第２読取部５５においても、読取ユニット１００は、Ｃｏｎｔａｃｔ Ｉｍａｇｅ Ｓｅｎｓｏｒ（以後、「ＣＩＳ」と略す）により構成されるイメージセンサを有しており、搬送ガイド部２０のシート搬送経路Ｒ側に読取面１１２Ｓを備えて構成されている。当該読取ユニット１００の長辺方向は、画像読取装置１の左右方向に沿っている。読取ユニット１００における読取ユニット１００面には、長辺方向に沿って列設された撮像素子等が配設されている。読取ユニット１００の長辺方向は、読取ユニット１００の主走査方向に該当する。
【００５７】
第２読取部５５における読取ユニット１００は、読取面１１２Ｓが下方（即ち、搬送ガイド部２０のシート搬送経路Ｒ）側となる態様で、第２センサ収納部５６内部に収納されている（図１〜図３参照）。即ち、読取ユニット１００の読取面１１２Ｓは、シート搬送経路Ｒに面している。尚、第２読取部５５においても、読取ユニット１００に対しては、フラットケーブル７０の一端が接続されており、フラットケーブル７０の他端は、回路基板６０に接続されている。
【００５８】
そして、第２読取部５５において、コンタクトガラス１２０は、第２センサ収納部５６における搬送ガイド部２０側に配設されており、所謂「プラテンガラス」として機能する。この第２読取部５５のコンタクトガラス１２０は、上側案内面１５Ｇの一部を構成している為、第２読取部５５の読取ユニット１００は、搬送ガイド部２０のシート搬送経路Ｒに沿って搬送されるシートの一面の画像を、コンタクトガラス１２０を介して読み取ることができる。
【００５９】
（回路基板の構成）
そして、回路基板６０は、第１筐体１０内の下部に配設されており、ＣＰＵ、ＲＯＭ及びＲＡＭ等からなる制御回路を有している。回路基板６０には、ＡＣアダプタ及び給電コードを介して、家庭用コンセントから電力が供給される。回路基板６０は、フラットケーブル７０を介して、読取部４０における各読取ユニット１００と電気的に接続されており、読取ユニット１００による画像の読取に関する制御を行う。又、回路基板６０は、第１筐体１０内部に配設された駆動源（図示せず）に電気的に接続されており、当該駆動源に電力を供給して制御することで、モータ及び伝達ギヤ群を介して、搬送部２５によるシートの搬送制御を行う。
【００６０】
（画像読取装置によるシートの画像読取動作）
上述のように構成された画像読取装置１において、シートの画像を読み取る際の画像読取動作について説明する。シートの画像を読み取る場合、回路基板６０は、駆動源（図示せず）に駆動力を発生させるように制御する。これにより、画像読取装置１は、シート導入口２１から搬送ガイド部２０内部に挿入されたシートを、上流側搬送部３０の上流側駆動ローラ３１と、上流側従動ローラ３２の協働によって、シート搬送経路Ｒに沿って、搬送方向下流側へ搬送する。
【００６１】
上流側搬送部３０によってシートが搬送方向下流側へ搬送されると、回路基板６０は、読取部４０を構成する第１読取部５０及び第２読取部５５を制御して、シート搬送経路Ｒに沿って搬送されるシートの両面から画像を読み取る。読取部４０による画像の読取動作は、搬送部２５によるシートの搬送動作と並行して実行される。
【００６２】
読取部４０によって画像が読み取られたシートは、読取部４０よりも搬送方向下流側へ搬送されると、下流側搬送部３５の下流側駆動ローラ３６及び下流側従動ローラ３７によって挟持される。画像読取装置１は、回路基板６０によって下流側搬送部３５の駆動制御を行うことで、当該シートを、シート排出口２２から本体筐体５の外部に排出される。
【００６３】
（読取ユニットの構成）
続いて、本実施形態に係る画像読取装置１において、読取部４０（第１読取部５０、第２読取部５５）を構成する読取ユニット１００の構成について、図４〜図１３を参照しつつ詳細に説明する。尚、以下の説明においては、第２読取部５５を構成する読取ユニット１００を例として説明する。この点、第１読取部５０における読取ユニット１００は、第２読取部５５の読取ユニット１００と、その基本的構成を同じくする為、その説明を省略する。
【００６４】
そして、本実施形態に係る搬送ガイド部２０のシート搬送経路Ｒは、上述したように、画像読取装置１の前方側に向かうにつれて下り傾斜しており、第１読取部５０、第２読取部５５の読取ユニット１００も、画像読取装置１の前方側に向かうにつれて下り傾斜する状態で配設される。
【００６５】
従って、以下の説明においては、画像読取装置１に対する上下方向、左右方向及び前後方向ではなく、Ｘ方向、Ｙ方向及びＺ方向を用いて説明する。Ｘ方向（＋Ｘ方向、−Ｘ方向）は、画像読取装置１における左右方向に対応する。Ｙ方向は、搬送ガイド部２０のシート搬送経路Ｒに沿ったシートの搬送方向に対応し、−Ｙ方向は、搬送方向上流側に相当し、＋Ｙ方向は、搬送方向下流側に相当する。そして、Ｚ方向は、Ｘ方向及びＹ方向に直交する方向であり、＋Ｚ方向は、シート搬送経路Ｒに近接する方向を示し、−Ｚ方向は、シート搬送経路Ｒから離間する方向を示す。
又、図４〜図１３において、正面図は、シート搬送経路Ｒ側から見た平面図であり、背面図は、−Ｚ方向側から見た平面図を意味する。
【００６６】
上述したように、読取ユニット１００は、読取部４０におけるセンサ収納部（第１センサ収納部５１、第２センサ収納部５６）の内部に収納され、搬送ガイド部２０を搬送されるシートから画像を読み取る。図４〜図９に示すように、当該読取ユニット１００は、センサユニット１１０と、センサホルダ１１５と、ホルダカバー１２５と、支持板部材１３０と、コイルスプリング１３５を有して構成される。
【００６７】
（センサユニットの構成）
センサユニット１１０は、読取ユニット１００による画像の読み取りに関する主要部を構成し、ハウジング１１１と、イメージセンサ１１２と、センサ基板１１３とを有している。図９、図１０に示すように、当該センサユニット１１０は、ＸＹ平面視で細長矩形である直方体形状に形成されており、Ｘ方向に沿った長手方向を主走査方向とし、Ｙ方向に沿った短手方向を副走査方向とする。
【００６８】
ハウジング１１１は、ＸＹ平面視で細長矩形である直方体形状に形成されており、センサユニット１１０の外郭を構成する。＋Ｚ方向側におけるハウジング１１１の四隅には、規制部１１１Ａが、それぞれ形成されている。各規制部１１１Ａは、後述するセンサホルダ１１５の規制リブ１１５Ａと当接することによって、センサユニット１１０におけるイメージセンサ１１２と、センサホルダ１１５のコンタクトガラス１２０との距離を一定に維持する位置決め部材としての役割を果たす。
【００６９】
イメージセンサ１１２は、ＣＩＳ（Ｃｏｎｔａｃｔ  Ｉｍａｇｅ  Ｓｅｎｓｏｒ）と呼ばれる密着型イメージセンサによって構成されており、搬送ガイド部２０を搬送されるシートに対して光を照射し、このシートからの反射光を光電変換して電気信号を出力することで、当該シートの画像を読み取る。イメージセンサ１１２は、ハウジング１１１内部において＋Ｚ方向側の一面に沿って配設されており、センサユニット１１０における＋Ｚ方向側の一面を構成する。
【００７０】
図１０等に示すように、イメージセンサ１１２の＋Ｚ方向側の面には、導光部１１２Ａ等が配設されており、読取面１１２Ｓを構成している。当該導光部１１２Ａは、センサユニット１１０の長手方向に連続して配設されており、センサユニット１１０におけるハウジング１１１内部に配設されたＬＥＤ（図示せず）の光を導くように構成されている。導光部１１２Ａの光は、後述するセンサホルダ１１５のコンタクトガラス１２０を介して、搬送ガイド部２０を搬送されるシートの一面に照射される。イメージセンサ１１２の読取面１１２Ｓには、センサユニット１１０の長手方向に沿って、複数の撮像素子が列設されており、当該複数の撮像素子によって、シートによる反射光を、その強度に応じた電気信号に変換する。
【００７１】
センサ基板１１３は、センサユニット１１０における読取制御（上述したＬＥＤの発光制御や、電気信号への変換等）を行う為の制御基板であり、ハウジング１１１の−Ｚ方向側の一面に沿って配設されている。図１１に示すように、当該センサ基板１１３の−Ｚ方向側の一面には、コネクタ部１１３Ａ及び端子部１１３Ｂが、−Ｘ方向側の端部側の所定範囲（例えば、Ｘ方向に沿った長手方向の１／３程度の範囲）内に配設されている。尚、図７に示すように、コネクタ部１１３Ａは、−Ｘ方向側の端部側の所定範囲内であって、後述するコイルスプリング１３５の配設位置よりも内側に位置している。
【００７２】
コネクタ部１１３Ａは、センサ基板１１３を介して、センサユニット１１０の撮像素子等と電気的に接続されており、当該コネクタ部１１３Ａに接続されたフラットケーブル７０を介して、回路基板６０と信号等の入出力を行う。そして、端子部１１３Ｂは、センサユニット１１０のＬＥＤ及び導光部１１２Ａの発光制御を行う為の端子であり、回路基板６０に対して電気的に接続される。
【００７３】
（センサホルダの構成）
センサホルダ１１５は、−Ｚ方向側の一面が開放された略箱状に形成されており、図４〜図９に示すように、センサユニット１１０を内部に収納可能に構成されている。センサホルダ１１５において、＋Ｚ方向側の内面における四隅には、規制リブ１１５Ａが夫々形成されている（図１３参照）。
【００７４】
当該規制リブ１１５Ａは、図９に示すように、−Ｚ方向に突出形成されており、センサユニット１１０の規制部１１１Ａと当接することによって、センサユニット１１０におけるイメージセンサ１１２と、センサホルダ１１５のコンタクトガラス１２０との距離を一定に維持する。
【００７５】
そして、センサホルダ１１５における＋Ｚ方向側の一面には、読取開口部１１５Ｗが形成されており、コンタクトガラス１２０が配設されている。読取開口部１１５Ｗは、センサホルダ１１５の＋Ｚ方向側の一面を開口して形成されている。又、コンタクトガラス１２０は、透光性を有する長方形をなす板状に形成されており、読取開口部１１５Ｗを閉塞している。各コンタクトガラス１２０は、搬送ガイド部２０の一部（即ち、上側案内面１５Ｇ又は下側案内面１０Ｇの一部）を構成する。センサユニット１１０は、読取開口部１１５Ｗ及びコンタクトガラス１２０を介して、シートに対する光の照射及び、シートによる反射光の受光を行い、シートの画像を読み取り得る。
【００７６】
センサホルダ１１５における＋Ｙ方向側の側面及び−Ｙ方向側の側面には、複数の係合突起１１５Ｂが突出形成されている。各係合突起１１５Ｂは、＋Ｙ方向側の側面及び−Ｙ方向側の側面の夫々において、Ｙ方向における両端部と、各両端から長手寸法の１／３となる４カ所に形成されている。当該係合突起１１５Ｂは、ホルダカバー１２５に形成された規制フック部１２５Ａと協働することによって、−Ｚ方向へのセンサホルダ１１５に対するホルダカバー１２５の移動を規制する。
【００７７】
（ホルダカバーの構成）
そして、ホルダカバー１２５は、図４〜図９に示すように、合成樹脂によって平板状に形成されており、センサホルダ１１５の開口を覆うように配設される。ホルダカバー１２５のＹ方向に伸びる長手方向端縁には、複数の規制フック部１２５Ａが、Ｙ方向における両端部と、各両端から長手寸法の１／３となる４カ所において、＋Ｚ方向へ向かって立設されている。当該各規制フック部１２５Ａは、センサホルダ１１５の係合突起１１５Ｂと係合することによって、−Ｚ方向へのセンサホルダ１１５に対するホルダカバー１２５の移動を規制する。
【００７８】
そして、本実施形態に係る読取ユニット１００においては、２つの支持板部材１３０が配設される。各支持板部材１３０は、絶縁性を有する合成樹脂によって平板状に形成されており、センサホルダ１１５内部に収納されたセンサユニット１１０のＸ方向（長手方向）における両端部において、センサユニット１１０のハウジング１１１における−Ｚ方向側の端面に接触するように配設される（図７、図８参照）。
【００７９】
又、各支持板部材１３０は、センサホルダ１１５の内壁面に対して、その端縁を接触させた状態で、ハウジング１１１における−Ｚ方向側の端面に接触するように配設されている（図７〜図９参照）。これにより、支持板部材１３０は、センサホルダ１１５の内壁面及びハウジング１１１における−Ｚ方向側の端面と接触することで、センサホルダ１１５内部に収納されたセンサユニット１１０のＸ方向（長手方向）における両端部の所定位置に位置決めすることができる。
【００８０】
図９に示すように、センサユニット１１０において、ハウジング１１１の−Ｚ方向側の端面は、端子部１１３Ｂの先端よりも−Ｚ方向側に位置しており、端子部１１３Ｂは、センサユニット１１０における−Ｘ方向側の端部に配置されている。従って、センサユニット１１０の−Ｘ方向側の端部においては、支持板部材１３０は、センサ基板１１３の端子部１１３Ｂを覆うように配設される。
【００８１】
図７〜図９に示すように、コイルスプリング１３５は、金属線材によって構成されており、読取ユニット１００のＸ方向における両端部において、ホルダカバー１２５と、支持板部材１３０との間にそれぞれ配設されており、センサホルダ１１５内部において、センサユニット１１０を＋Ｚ方向へ付勢している。各コイルスプリング１３５の一端は、ホルダカバー１２５におけるＹ方向中央部分に取り付けられており、コイルスプリング１３５の他端は、支持板部材１３０におけるＹ方向中央部分と接触している。
【００８２】
当該読取ユニット１００においては、コイルスプリング１３５の付勢力によって、規制部１１１Ａと規制リブ１１５Ａとを確実に接触させることができるので、センサユニット１１０の読取面１１２Ｓは、センサホルダ１１５のコンタクトガラス１２０に対して、イメージセンサ１１２の焦点距離に対応する所定の距離を隔てた位置に位置決めされる（図９参照）。
【００８３】
以上説明したように、本実施形態に関する画像読取装置１は、第１筐体１０及び第２筐体１５からなる本体筐体５と、搬送部２５と、読取部４０と、回路基板６０と、フラットケーブル７０とを有しており、第１読取部５０及び第２読取部５５によって、第１筐体１０と第２筐体１５の間に形成される搬送ガイド部２０に沿って搬送されるシートから画像を読み取ることができる。
【００８４】
本実施形態において、読取部４０は、読取ユニット１００を有して構成されており、当該読取ユニット１００は、センサユニット１１０と、センサホルダ１１５と、ホルダカバー１２５と、支持板部材１３０と、コイルスプリング１３５とを有して構成されている。当該センサユニット１１０は、ハウジング１１１と、イメージセンサ１１２と、センサ基板１１３とを有しており、支持板部材１３０と、コイルスプリング１３５と、ホルダカバー１２５とを介して、センサホルダ１１５内部における所定位置に位置決めされている。
【００８５】
図９に示すように、各コイルスプリング１３５は、規制部１１１Ａと規制フック部１２５Ａとの協働によって、センサホルダ１１５から離間する方向への移動が規制されたホルダカバー１２５と、センサホルダ１１５内部に収容されたセンサユニット１１０のハウジング１１１に対して、−Ｚ方向側から接触する板状の支持板部材１３０の間に配設されている為、センサユニット１１０を＋Ｚ方向側に付勢することができ、コンタクトガラス１２０に対するセンサユニット１１０の位置を、所定位置に精度よく位置決めすることができる。この時、コイルスプリング１３５の端部は、支持板部材１３０に接触しており、コイルスプリング１３５の付勢力は、支持板部材１３０を介して、センサユニット１１０のハウジング１１１に作用する為、センサ基板１１３が撓み変形することを抑制し得る。
【００８６】
これにより、当該画像読取装置１によれば、コイルスプリング１３５の付勢力によるセンサ基板１１３の変形を抑制することによって、読取部４０による読取精度の低下を防止し得る。即ち、当該画像読取装置１によれば、読取部４０におけるセンサユニット１１０の位置決めを精度よく行いつつ、コイルスプリング１３５の付勢力の影響による読取精度の低下を抑制し得る。
【００８７】
当該画像読取装置によれば、位置決め部によって、前記ハウジングの前記第１面側と、前記ホルダの前記カバーガラス側の相対的な位置関係を位置決めすることができるので、センサユニットの読取面とカバーガラスとの位置関係を、適正な位置（例えば、イメージセンサの焦点距離に対応する位置）にすることができる。これにより、当該画像読取装置は、センサユニットの読取面によって、カバーガラスを介して位置するシートの画像を、精度よく読み取ることができる。
【００８８】
図７に示すように、コイルスプリング１３５は、前記センサユニット１１０のＸ方向における両端部に配置されている為、コイルスプリング１３５の付勢力を、センサユニット１１０の長手方向（主走査方向）における両端部で受けることができる。これにより、当該画像読取装置１によれば、コイルスプリング１３５の付勢力を、センサユニット１１０の長手方向（即ち、主走査方向）に関して、バランス良く作用させることができる。
【００８９】
又、各支持板部材１３０は、センサホルダ１１５の内壁面に対して当該支持板部材１３０の端縁を接触させた状態で、センサホルダ１１５内部に収容されたセンサユニット１１０のハウジング１１１に−Ｚ方向側から接触するように配置されている為、支持板部材１３０の移動を規制して適正な位置に保持することができる。即ち、当該画像読取装置１によれば、コイルスプリング１３５の端部を、支持板部材１３０に対して確実に接触させることができ、コイルスプリング１３５の付勢力を、支持板部材１３０を介して、センサユニット１１０に対して作用させ得る。
【００９０】
図７、図８に示すように、コイルスプリング１３５は、Ｙ方向における前記センサユニット１１０の中央部分に配置されているので、コイルスプリング１３５の付勢力を、センサユニット１１０の短辺方向（即ち、副走査方向）に関して、バランス良く作用させることができる。
【００９１】
図４〜図９に示すように、ホルダカバー１２５の規制フック部１２５Ａ及びセンサホルダ１１５の規制フック部１２５Ａは、コイルスプリング１３５の配設位置であるＸ方向の両端部において、前記センサホルダ１１５から離間する方向への前記ホルダカバー１２５の移動を規制している為、コイルスプリング１３５の付勢力によるホルダカバー１２５の変形を、適切に抑制することができる。
【００９２】
そして、図１１に示すように、前記センサユニット１１０は、フラットケーブル７０が接続されるコネクタ部１１３Ａを、−Ｘ方向における端部側の所定範囲内で、且つ、前記コイルスプリング１３５の配設位置よりも内側となる位置に有している為、センサユニット１１０に対して、コイルスプリング１３５の付勢力を適切に作用させると同時に、コネクタ部１１３Ａに接続されたフラットケーブル７０の取り回しを簡易化することができる。
【００９３】
本実施形態において、前記支持板部材１３０は、絶縁材料によって平板状に形成されており、前記コイルスプリング１３５は、金属線材によって構成されている為、センサユニット１１０に対して、コイルスプリング１３５の付勢力を、支持板部材１３０を介して安定して作用させることができる。又、支持板部材１３０及びコイルスプリング１３５を安価且つ容易に入手することができるので、当該画像読取装置１の製造コストを抑制することができる。
【００９４】
図６〜図９に示すように、前記支持板部材１３０は、前記ハウジング１１１の−Ｚ方向側において、前記センサ基板１１３における前記端子部１１３Ｂを覆うように配設されている為、金属線材により構成されたコイルスプリング１３５が端子部１１３Ｂに接触することを防止することができ、もって、センサユニット１１０の故障や不具合の発生を抑制することができる。
【００９５】
尚、上述した実施形態において、画像読取装置１は、本発明における画像読取装置の一例である。そして、読取部４０及び読取ユニット１００は、本発明における読取部の一例であり、センサユニット１１０は、本発明におけるセンサユニットの一例である。又、ハウジング１１１は、本発明におけるハウジングの一例であり、規制部１１１Ａ及び規制リブ１１５Ａは、本発明における位置決め部の一例である。そして、イメージセンサ１１２は、本発明におけるイメージセンサの一例であり、導光部１１２Ａは、本発明における導光部の一例である。又、センサ基板１１３は、本発明におけるセンサ基板の一例であり、コネクタ部１１３Ａは、本発明におけるコネクタ部の一例である。そして、端子部１１３Ｂは、本発明における端子部の一例であり、センサホルダ１１５は、本発明におけるホルダの一例である。そして、係合突起１１５Ｂ及び規制フック部１２５Ａは、本発明における移動規制部の一例であり、コンタクトガラス１２０は、本発明におけるカバーガラスの一例である。又、ホルダカバー１２５は、本発明におけるホルダカバーの一例であり、支持板部材１３０は、本発明における支持部材の一例である。そして、コイルスプリング１３５は、本発明における付勢部材の一例である。又、Ｙ方向は、本発明における第１方向の一例であり、Ｘ方向は、本発明における第２方向の一例である。そして、＋Ｚ方向側の一面は、本発明における第１面の一例であり、−Ｚ方向側の一面は、本発明における第２面の一例である。
【００９６】
以上、実施形態に基づき本発明を説明したが、本発明は上述した実施形態に何ら限定されるものではなく、本発明の趣旨を逸脱しない範囲内で種々の改良変更が可能である。例えば、上述した実施形態においては、本発明を、第１読取部５０及び第２読取部５５を有する画像読取装置１に適用していたが、この態様に限定されるものではない。シートを搬送しつつ、読取部によってシートの画像を読み取ることができる画像読取装置であれば、本発明を適用することができる。
【００９７】
又、上述した実施形態においては、付勢部材として、金属線材により構成されたコイルスプリング１３５を用いていたが、この態様に限定されるものではない。ホルダカバー１２５と支持板部材１３０の間に配置され、センサユニット１１０を＋Ｚ方向に付勢することができれば、種々の付勢部材（例えば、ゴム製部材等）を用いることも可能である。
【符号の説明】
【００９８】
１        画像読取装置
５        本体筐体
１０      第１筐体
１５      第２筐体
２０      搬送ガイド部
２５      搬送部
４０      読取部
５０      第１読取部
５５      第２読取部
６０      回路基板
７０      フラットケーブル
１００    読取ユニット
１１０    センサユニット
１１１    ハウジング
１１２    イメージセンサ
１１３    センサ基板
１１３Ａ  コネクタ部
１１５    センサホルダ
１２０    コンタクトガラス
１２５    ホルダカバー
１３０    支持板部材
１３５    コイルスプリング
【図１】
0006432426.tif 000002
【図２】
0006432426.tif 000003
【図３】
0006432426.tif 000004
【図４】
0006432426.tif 000005
【図５】
0006432426.tif 000006
【図６】
0006432426.tif 000007
【図７】
0006432426.tif 000008
【図８】
0006432426.tif 000009
【図９】
0006432426.tif 000010
【図１０】
0006432426.tif 000011
【図１１】
0006432426.tif 000012
【図１２】
0006432426.tif 000013
【図１３】
0006432426.tif 000014